(57)【要約】【課題】  回転リールの回転位置の検出までの検出時間を短くすることができるようにした遊技機等を提供する。【解決手段】  回転リール(40)は、インデックス(150)としての突出片(151)を各図柄(61)にそれぞれ形成し、突出片(151)は、図柄(61)毎に各々その回転方向の長さを異に形成され、基体は、インデックス(150)の通過開始タイミング及び通過終了タイミングを検出して検出信号を出力可能な通過タイミング検出手段(140)を有し、回転位置検出制御手段(130)は、特定時間経過後、通過開始タイミングから通過終了タイミングまでの経過時間を、通過時間として計測する通過時間計測手段(160)と、通過時間計測手段(160)が計測した経過時間により、いずれの図柄(61)に対応するインデックス(150)が通過したか決定して、回転位置を検出する時単位回転位置決定手段(170)とを備えたことを特徴とする。【選択図】    図１
2007037771.tif 000002
【特許請求の範囲】
【請求項１】
基体に固定されて回転駆動力を発生する駆動モーターと、
前記駆動モーターの回転駆動軸に連結されるとともに外周表面に複数の図柄が描かれている筒状の回転リールと、
前記駆動モーターの回転位置を検出するための回転位置検出制御手段とを備えた遊技機において、
前記回転リールは、インデックスとしての突出片を各図柄に対応するようにそれぞれ形成し、
前記突出片は、対応する図柄毎に各々その回転方向の長さを異に形成され、
前記基体は、前記インデックスの通過開始タイミング及び通過終了タイミングを検出して検出信号を出力可能な単一の通過タイミング検出手段を有し、
前記回転位置検出制御手段は、
前記回転リールが定常回転速度に到達する予め定めた特定時間経過後、前記通過タイミング検出手段からの検出信号に基づいて通過開始タイミングから通過終了タイミングまでの経過時間を、当該インデックスの通過時間として計測する通過時間計測手段と、
前記通過時間計測手段が計測した経過時間により、いずれの図柄に対応するインデックスが通過したか決定して、前記回転リールの回転位置を検出する時単位回転位置決定手段とを備えたことを特徴とする遊技機。
【請求項２】
基体に固定された駆動モーターの回転駆動軸に連結される遊技機の回転リールであって、
前記回転リールは、外周表面に複数の図柄が描かれている筒状に形成されるとともに、インデックスとしての突出片を各図柄に対応するようにそれぞれ形成され、
前記突出片は、対応する図柄毎に回転方向の長さを各々異に形成され、
前記基体は、前記回転リールが定常回転速度に到達する予め定めた特定時間経過後、前記インデックスの通過開始タイミング及び通過終了タイミングを検出して検出信号を出力可能な単一の通過タイミング検出手段を有し、
前記通過タイミング検出手段の検出結果により、当該インデックスの通過時間を計測して、いずれの図柄に対応するインデックスが通過したか決定して、前記回転リールの回転位置を検出可能に形成されていることを特徴とする遊技機の回転リール。
【請求項３】
基体に固定されて回転駆動力を発生するステッピングモーターからなる駆動モーターと、
前記駆動モーターの回転駆動軸に連結されるとともに外周表面に複数の図柄が描かれている筒状の回転リールと、
前記駆動モーターの回転位置を検出するための回転位置検出制御手段とを備えた遊技機において、
前記回転リールは、インデックスとしての突出片を各図柄に対応するようにそれぞれ形成し、
前記突出片の回転方向の角度は、前記ステッピングモーターのステップ角の整数倍となるように形成され、
前記突出片は、対応する図柄毎に回転方向の角度に対応する通過ステップ数が異なるように形成され、
前記基体は、前記インデックスの通過開始タイミング及び通過終了タイミングを検出して検出信号を出力可能な単一の通過タイミング検出手段を有し、
前記回転位置検出制御手段は、
前記通過タイミング検出手段からの検出信号に基づいて通過開始タイミングから通過終了タイミングまでに通過したステッピングモーターのステップ数を、当該インデックスの通過ステップ数として計測する通過ステップ数計測手段と、
前記通過ステップ数計測手段が計測した通過ステップ数により、いずれの図柄に対応するインデックスが通過したか決定して、前記回転リールの回転位置を検出するステップ単位回転位置決定手段とを備えたことを特徴とする遊技機。
【請求項４】
基体に固定されたステッピングモーターからなる駆動モーターの回転駆動軸に連結される遊技機の回転リールであって、
前記回転リールは、外周表面に複数の図柄が描かれている筒状に形成されるとともに、インデックスとしての突出片を各図柄に対応するようにそれぞれ形成され、
前記突出片は、対応する図柄毎に回転方向の長さに対応する通過ステップ数を各々異に形成され、
前記基体は、前記インデックスの通過開始タイミング及び通過終了タイミングを検出して検出信号を出力可能な単一の通過タイミング検出手段を有し、
前記通過タイミング検出手段の検出結果により、当該インデックスの通過ステップ数を計測して、いずれの図柄に対応するインデックスが通過したか決定して、前記回転リールの回転位置を検出可能に形成されていることを特徴とする遊技機の回転リール。
【発明の詳細な説明】
【技術分野】
【０００１】
この発明は、遊技機及びそれに使用する回転リールに関するものである。
【背景技術】
【０００２】
従来のスロットマシン等の遊技機に使用される回転リールとしては、回転中の回転位置を検出するための位置検出用のスタートインデックスが形成されている。そして、従来の位置検出用のスタートインデックスは、回転リールの一部に１箇所だけ形成されている。図１７は従来の回転リール40のリールテープ42と、突出片151との関係を表す概念図である。具体的には、この位置検出用のスタートインデックスは、回転リールから突出する板状の突片である。そして、回転リールの周囲部材には、このスタートインデックスの通過を検知可能なセンサーが形成されている。このセンサーは、光学式のフォトセンサーや磁力の変化を検知する磁気センサー等が使用されている。そして、駆動モーターによる回転を開始した後、前記センサーにより、前記スタートインデックスを検知してからの回転角度を認識することで、現在位置を特定することができるものである。そして、所定角度で停止させることによって、停止制御が行われるものである。
【０００３】
また、インデックスを回転の複数の列に複数個、設けて、各列のインデックスを検知可能なセンサーを複数列に対応する複数個、配置しているものがある（例えば、特許文献１。）。
【特許文献１】特開２００２−１３６６４０号公報（第９図、第１０図、第１２図、第１３図）
【発明の開示】
【発明が解決しようとする課題】
【０００４】
しかし、上記した従来のスタートインデックスを１箇所しか有さない回転リールでは、回転リールの回転位置を検出するために、回転リールが最大１周分の時間がかかるという第１の問題点があった。
また、上述した文献１のように、複数のインデックスと、それに対応する複数のセンサーを設けているものは、複数列のインデックスを検知するためのセンサーが、複数個、必要となり、機構が複雑になるという第２の問題点があった。
また、上述した従来のインデックスの通過時間に基づいて回転リールの回転位置を検出するものは、回転リールの回転速度が定常回転速度に到達した後であって、かかる回転速度が一定に維持されていることが前提となっている。したがって、回転リールの回転速度が定常回転速度に到達していない場合や、回転リールの回転速度が変動するような場合には、回転リールの回転位置を正確に検出することができないといった第３の問題点があった。
【０００５】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１及び第２の問題点に鑑みてなされたものであり、その目的とするところは、回転リールの回転位置の検出までの検出時間を短くすることができるようにした遊技機を提供しようとするものである。
（請求項２）  すなわち、請求項２記載の発明は、上記した従来の技術の有する第１の問題点に鑑みてなされたものであり、その目的とするところは、回転リールの回転位置の検出までの検出時間を短くすることができるようにした回転リールを提供しようとするものである。
【０００６】
（請求項３）  すなわち、請求項３記載の発明は、上記した従来の技術の有する第１、第２及び第３の問題点に鑑みてなされたものであり、その目的とするところは、回転リールの回転速度の影響を受けずに、且つ、回転リールの回転位置の検出までの検出時間を短くすることができるようにした遊技機を提供しようとするものである。
（請求項４）  すなわち、請求項４記載の発明は、上記した従来の技術の有する第１及び第３の問題点に鑑みてなされたものであり、その目的とするところは、回転リールの回転速度の影響を受けずに、且つ、回転リールの回転位置の検出までの検出時間を短くすることができるようにした回転リールを提供しようとするものである。
【課題を解決するための手段】
【０００７】
（請求項１）
（特徴点）  請求項１記載の発明は、次の点を特徴とする。すなわち、基体（具体的には、例えばリールユニット(60)の枠体(62)）に固定されて回転駆動力を発生する駆動モーター(120)と、前記駆動モーター(120)の回転駆動軸(63)に連結されるとともに外周表面に複数の図柄(61)が描かれている筒状の回転リール(40)と、前記駆動モーター(120)の回転位置を検出するための回転位置検出制御手段(130)とを備えた遊技機(10)において、前記回転リール(40)は、インデックス(150)としての突出片(151)を各図柄(61)に対応するようにそれぞれ形成し、前記突出片(151)は、対応する図柄(61)毎に各々その回転方向の長さを異に形成され、前記基体は、前記インデックス(150)の通過開始タイミング及び通過終了タイミングを検出して検出信号を出力可能な単一の通過タイミング検出手段(140)を有し、前記回転位置検出制御手段(130)は、前記回転リール(40)が定常回転速度に到達する予め定めた特定時間経過後、前記通過タイミング検出手段(140)からの検出信号に基づいて通過開始タイミングから通過終了タイミングまでの経過時間を、当該インデックス(150)の通過時間として計測する通過時間計測手段(160)と、前記通過時間計測手段(160)が計測した経過時間により、いずれの図柄(61)に対応するインデックス(150)が通過したか決定して、前記回転リール(40)の回転位置を検出する時単位回転位置決定手段(170)とを備えたことを特徴とする。
【０００８】
なお、本発明は、前記回転リール(40)の外周表面の図柄(61)には、各図柄(61)の表示位置により異なる図柄番号が付与され、前記通過タイミング検出手段(140)は、インデックス(150)の通過開始タイミング及び通過終了タイミングを検出する通過タイミング検出センサー(141)と、通過タイミング検出センサー(141)によりインデックス(150)の検出を開始した際にインデックス検出開始信号を出力し、インデックス(150)の検出を終了した際にインデックス検出終了信号を出力するためのインデックス信号出力手段(142)とを備え、前記時単位回転位置決定手段(170)は、予め定めた回転リール(40)の回転速度から各インデックス(150)の通過時間（以後、これを「基本通過時間」という。）を記憶した時単位インデックス情報記憶手段(171)と、前記通過時間計測手段(160)により計測したインデックス(150)の通過時間に最も近い基本通過時間を選択する基本通過時間選択手段(172)と、前記基本通過時間選択手段(172)により選択された基本通過時間に対応する図柄番号を決定する時単位図柄番号決定手段(173)と、時単位図柄番号決定手段(173)により決定された図柄番号から当該回転リール(40)の回転位置を決定する時単位リール図柄位置決定手段(174)とを備えていることを特徴とするようなものを含む。
【０００９】
（作用）  本発明は、インデックス(150)としての突出片(151)が、回転リール(40)の外周表面の各図柄(61)に対応するようにそれぞれ形成されている。そして、通過タイミング検出手段(140)が、各インデックス(150)の通過開始タイミング及び通過終了タイミングを検出する。そして、通過時間計測手段(160)が、通過開始タイミングから通過終了タイミングまでの経過時間を、当該インデックス(150)の通過時間として計測する。そして、時単位回転位置決定手段(170)は、通過時間計測手段(160)が計測した通過時間により、いずれの図柄(61)に対応するインデックス(150)が通過したか算出して、回転リール(40)の現在の回転位置を検出することができる。
【００１０】
本発明は、各図柄(61)毎にインデックス(150)が対応するように形成されているため、回転リール(40)の回転速度が所定の数値に達していれば、各図柄(61)のインデックス(150)の通過開始タイミング及び通過終了タイミングが通過タイミング検出手段(140)により検出された時点で、上述したように回転位置を検出することができる。すなわち、１個の図柄(61)のインデックス(150)の通過開始タイミング及び通過終了タイミングを通過タイミング検出手段(140)により検知することができれば、その通過時間を計測して、当該インデックス(150)に対応する図柄(61)を検知することができて、回転リール(40)の回転位置を検出することができる。したがって、１個の図柄(61)のインデックス(150)の通過時間を通過タイミング検出手段(140)及び通過時間計測手段(160)により検知することができれば、当該インデックス(150)に対応する図柄(61)の種類を検知することができて、回転リール(40)の回転位置を検出することができる。
【００１１】
これにより、インデックスを１個だけ有しているような回転リールと比較して、回転位置を検出するために、回転リールが最大１周、回転しなければならないようなことを回避することができ、回転位置の検出までの検出時間を短くすることができる。また、回転リール(40)の停止した状態が如何なる回転位置で停止していても、回転リール(40)の回転検出までの時間を、略一定にすることができる。
本発明は、すべてのインデックス(150)の通過開始タイミング及び通過終了タイミングを単一の通過タイミング検出手段(140)により、検出して、通過時間計測手段(160)により通過時間を計測しているため、複数列のインデックスを検知するための複数のセンサー等を必要とすることがない。これにより、センサーとしては、１個の通過タイミング検出手段(140)だけで済み、複数のセンサーを必要とするものと比較して、部品数低減可、コスト低減化を図ることができる。
【００１２】
（請求項２）
（特徴点）  請求項２記載の発明は、次の点を特徴とする。すなわち、基体に固定された駆動モーター(120)の回転駆動軸(63)に連結される遊技機(10)の回転リール(40)であって、前記回転リール(40)は、外周表面に複数の図柄(61)が描かれている筒状に形成されるとともに、インデックス(150)としての突出片(151)を各図柄(61)に対応するようにそれぞれ形成され、前記突出片(151)は、対応する図柄(61)毎に回転方向の長さを各々異に形成され、前記基体は、前記回転リール(40)が定常回転速度に到達する予め定めた特定時間経過後、前記インデックス(150)の通過開始タイミング及び通過終了タイミングを検出して検出信号を出力可能な単一の通過タイミング検出手段(140)を有し、前記通過タイミング検出手段(140)の検出結果により、当該インデックス(150)の通過時間を計測して、いずれの図柄(61)に対応するインデックス(150)が通過したか決定して、前記回転リール(40)の回転位置を検出可能に形成されていることを特徴とする。
【００１３】
（作用）  本発明に係る回転リール(40)は、外周表面の複数の図柄にそれぞれ対応する突出片(151)が形成されている。そして、その突出片(151)の回転方向の長さが、各突出片(151)毎にそれぞれ異なるように形成されている。このため、回転リール(40)の回転速度が定常回転速度に達した後、通過タイミング検出手段(140)により、インデックス(150)の通過開始タイミング及び通過終了タイミングを検出して、その検出結果により、インデックス(150)の通過時間を計測すれば、いずれのインデックス(150)が通過したか決定することが可能となり、かかるインデックス(150)に対応する図柄位置を特定することが可能になる。
【００１４】
したがって、複数の図柄(61)のうち、いずれか１個の図柄(61)のインデックス(150)の通過開始タイミング及び通過終了タイミングを通過タイミング検出手段(140)により検知することができれば、当該インデックス(150)に対応する図柄(61)の種類を検知することができて、回転リール(40)の回転位置を検出することができる。これにより、インデックスを回転リールの周囲に１個だけ有しているような回転リールと比較して、回転位置を検出するために、回転リール(40)が最大１周、回転しなければならないようなことを回避することができ、回転位置の検出までの検出時間を短くすることができる。また、回転リール(40)の停止した状態が如何なる回転位置で停止していても、回転リール(40)の回転検出までの時間を、略一定にすることができる。
【００１５】
（請求項３）
（特徴点）  請求項３記載の発明は、次の点を特徴とする。すなわち、基体（具体的には、例えば、リールユニット(60)の枠体(62)）に固定されて回転駆動力を発生するステッピングモーター(122)からなる駆動モーター(120)と、前記駆動モーター(120)の回転駆動軸(63)に連結されるとともに外周表面に複数の図柄(61)が描かれている筒状の回転リール(40)と、前記駆動モーター(120)の回転位置を検出するための回転位置検出制御手段(130)とを備えた遊技機(10)において、前記回転リール(40)は、インデックス(150)としての突出片(151)を各図柄(61)に対応するようにそれぞれ形成し、前記突出片(151)の回転方向の角度は、前記ステッピングモーター(122)のステップ角の整数倍となるように形成され、前記突出片(151)は、対応する図柄(61)毎に回転方向の角度に対応する通過ステップ数が異なるように形成され、前記基体は、前記インデックス(150)の通過開始タイミング及び通過終了タイミングを検出して検出信号を出力可能な単一の通過タイミング検出手段(140)を有し、前記回転位置検出制御手段(130)は、前記通過タイミング検出手段(140)からの検出信号に基づいて通過開始タイミングから通過終了タイミングまでに通過したステッピングモーター(122)のステップ数を、当該インデックス(150)の通過ステップ数として計測する通過ステップ数計測手段(180)と、前記通過ステップ数計測手段(180)が計測した通過ステップ数により、いずれの図柄(61)に対応するインデックス(150)が通過したか決定して、前記回転リール(40)の回転位置を検出するステップ単位回転位置決定手段(190)とを備えたことを特徴とする。
【００１６】
本発明は、回転リール(40)の周囲の複数の図柄(61)において、１個の図柄(61)に対して、１個のインデック(150)が対応するように形成されているものである。
なお、ここで、「ステッピングモーター」とは、パルス信号が入力される毎に一定角度（ステップ角）づつ回転する高精度な位置決めに使用されているモーターである。停止状態でも大きな保持力があるため、機械的なブレーキ等に頼らずとも、その停止位置を保つことができるものである。ここで、上記「ステップ角」とは、このステッピングモーターでモータドライバ(121)に１パルスが入力されたときにステッピングモーターが動く角度のことを意味する。
【００１７】
なお、本発明は、前記回転リール(40)の外周表面の図柄(61)には、各図柄(61)の表示位置により異なる図柄番号が付与され、前記通過タイミング検出手段(140)は、インデックス(150)の通過開始及び通過終了を検出する通過タイミング検出センサー(141)と、通過タイミング検出センサー(141)によりインデックス(150)の検出を開始した際、インデックス検出開始信号を出力し、インデックス(150)の検出を終了した際、インデックス検出終了信号を出力するためのインデックス信号出力手段(142)とを備え、前記ステップ単位回転位置決定手段(190)は、各インデックス(150)の予め定めた通過ステップ数を記憶したステップ単位インデックス情報記憶手段(191)と、前記通過ステップ数計測手段(180)により計測したインデックス(150)の通過ステップ数に対応する図柄番号を決定するステップ単位図柄番号決定手段(192)と、ステップ単位図柄番号決定手段(192)により決定された図柄番号から当該回転リール(40)の回転位置を決定するステップ単位リール図柄位置決定手段(193)とを備えていることを特徴とするようなものを含む。
【００１８】
（作用）  本発明は、インデックス(150)としての突出片(151)が、回転リール(40)の外周表面の各図柄(61)に対応するようにそれぞれ形成されている。そして、突出片(151)の回転方向の角度は、ステッピングモーター(122)のステップ角の整数倍となるように形成されている。そして、通過ステップ数検出センサー(200)が、各インデックス(150)の通過開始タイミング及び通過終了タイミングを検出する。そして、通過ステップ数計測手段(180)が、通過開始タイミングから通過終了タイミングまでに通過したステッピングモーター(122)のステップ数を、当該インデックス(150)の通過ステップ数として計測する。そして、突出片(151)は、対応する図柄(61)毎に回転方向の角度に対応する通過ステップ数が異なるように形成されている。このため、ステップ単位回転位置決定手段(190)が、かかる通過ステップ数により、いずれの図柄(61)に対応するインデックス(150)が通過したか決定して、回転リール(40)の現在の回転位置を検出することができる。
【００１９】
本発明は、各図柄(61)毎に通過ステップ数がそれぞれ異なるインデックス(150)が対応するように形成されている。このため、回転リール(40)の回転速度が所定の数値（定常回転速度）に達していなくても、各図柄(61)のインデックス(150)の通過開始タイミング及び通過終了タイミングが検出されて、通過ステップ数計測手段(180)により通過ステップ数が計測された時点で、インデックス(150)を特定し、それに対応する図柄を特定することができて、回転リール(40)の回転位置を検出することができる。すなわち、複数の図柄(61)のうち、いずれか１個の図柄(61)のインデックス(150)の通過ステップ数を検知することができれば、当該インデックス(150)に対応する図柄(61)の種類を検知することができて、回転リール(40)の回転位置を検出することができる。このため、インデックスを１個だけ有しているような回転リールと比較して、回転位置を検出するために、回転リールが最大１周、回転しなければならないようなことを回避することができ、回転位置の検出までの検出時間を短くすることができる。また、回転リール(40)の停止した状態が如何なる回転位置で停止していても、回転リール(40)の回転検出までの時間を、略一定にすることができる。
【００２０】
本発明は、すべてのインデックス(150)の通過開始タイミング及び通過終了タイミングを単一の通過タイミング検出手段(140)により、検出して、通過ステップ数計測手段(180)により当該インデックス(150)の通過ステップ数を計測している。このため、複数列のインデックスを形成して、それを検知するための複数のセンサー等を必要とすることがない。これにより、センサーとしては、１個の通過タイミング検出手段(140)だけで済み、複数のセンサーを必要とするものと比較して、部品数低減可、コスト低減化を図ることができる。
本発明は、各図柄(61)毎に対応して、それぞれステップ数の異なるインデックス(150)を、通過タイミング検出手段(140)及び通過ステップ数計測手段(180)により、回転リール(40)の回転に伴って、その通過ステップ数を計測している。そして、このステップ単位回転位置決定手段(190)が、その通過ステップ数に基づいて、いずれの図柄(61)が通過したかを検出している。すなわち、ステップ単位回転位置決定手段(190)が検出しているのは、通過ステップ数であって、通過時間では無い。このため、回転リール(40)の回転速度の影響を受けず、回転リール(40)の回転速度が定常回転速度に到達していない場合であっても、また、回転リール(40)の回転速度が一定の回転速度に定まらず、変動するような場合であっても、それらの回転リール(40)の回転速度の影響を受けずに、回転リール(40)の回転位置の検出を行うことができる。したがって、遊技を開始して、回転リール(40)の回転速度が定常回転速度に到達するまで待つ必要もなく、遊技の進行を早めることができる。
【００２１】
（請求項４）
（特徴点）  請求項４記載の発明は、次の点を特徴とする。すなわち、基体に固定されたステッピングモーター(122)からなる駆動モーター(120)の回転駆動軸(63)に連結される遊技機(10)の回転リール(40)であって、前記回転リール(40)は、外周表面に複数の図柄(61)が描かれている筒状に形成されるとともに、インデックス(150)としての突出片(151)を各図柄(61)に対応するようにそれぞれ形成され、前記突出片(151)は、対応する図柄(61)毎に回転方向の長さに対応する通過ステップ数を各々異に形成され、前記基体は、前記インデックス(150)の通過開始タイミング及び通過終了タイミングを検出して検出信号を出力可能な単一の通過タイミング検出手段(140)を有し、前記通過タイミング検出手段(140)の検出結果により、当該インデックス(150)の通過ステップ数を計測して、いずれの図柄(61)に対応するインデックス(150)が通過したか決定して、前記回転リール(40)の回転位置を検出可能に形成されていることを特徴とする。
【００２２】
（作用）  本発明に係る回転リール(40)は、インデックス(150)としての突出片(151)が、回転リール(40)の外周表面の各図柄(61)に対応するようにそれぞれ形成されている。そして、突出片(151)の回転方向の角度は、ステッピングモーター(122)のステップ角の整数倍となるように形成されている。そして、突出片(151)は、対応する図柄(61)毎に回転方向の角度に対応する通過ステップ数が異なるように形成されている。このため、通過タイミング検出手段(140)により、インデックス(150)の通過開始タイミング及び通過終了タイミングを検出して、その検出結果により、インデックス(150)の通過ステップ数を計測すれば、いずれのインデックス(150)が通過したか決定することが可能となり、かかるインデックス(150)に対応する図柄位置を特定することが可能になる。
【００２３】
したがって、複数の図柄(61)のうち、いずれか１個の図柄(61)のインデックス(150)の通過開始タイミング及び通過終了タイミングを通過タイミング検出手段(140)により検知することができれば、当該インデックス(150)に対応する図柄(61)の種類を検知することができて、回転リール(40)の回転位置を検出することができる。これにより、インデックスを回転リールの周囲に１個だけ有しているような回転リールと比較して、回転位置を検出するために、回転リール(40)が最大１周、回転しなければならないようなことを回避することができ、回転位置の検出までの検出時間を短くすることができる。また、回転リール(40)の停止した状態が如何なる回転位置で停止していても、回転リール(40)の回転検出までの時間を、略一定にすることができる。
【００２４】
本発明に係る回転リール(40)は、突出片(151)の回転方向の角度が、回転リール(40)の周囲の各図柄毎に異なるようなステップ角の整数倍に形成されている。そして、この突出片(151)の通過ステップ数を検出することにより回転リール(40)の回転位置を検出している。すなわち、回転位置を検出するために必要な情報は、通過ステップ数であって、通過時間では無い。このため、回転リール(40)の回転速度の影響を受けず、回転リール(40)の回転速度が定常回転速度に到達していない場合であっても、また、回転リール(40)の回転速度が一定の回転速度に定まらず、変動するような場合であっても、それらの回転リール(40)の回転速度の影響を受けずに、回転リール(40)の回転位置の検出を行うことが可能となるものである。したがって、遊技を開始して、回転リール(40)の回転速度が定常回転速度に到達するまで待つ必要もなく、遊技の進行を早めることが可能となるものである。
【発明の効果】
【００２５】
本発明は、以上のように構成されているので、以下に記載されるような効果を奏する。
（請求項１）  請求項１記載の発明によれば、次のような効果を奏する。すなわち、請求項１記載の発明によれば、回転リールの回転位置の検出までの検出時間を短くすることができるようにした遊技機を提供することができる。
（請求項２）  請求項２記載の発明によれば、次のような効果を奏する。すなわち、請求項２記載の発明によれば、回転リールの回転位置の検出までの検出時間を短くすることができるようにした回転リールを提供することができる。
（請求項３）  請求項３記載の発明によれば、次のような効果を奏する。すなわち、請求項３記載の発明によれば、回転リールの回転速度の影響を受けずに、且つ、回転リールの回転位置の検出までの検出時間を短くすることができるようにした遊技機を提供することができる。
【００２６】
（請求項４）  請求項４記載の発明によれば、次のような効果を奏する。すなわち、請求項４記載の発明によれば、回転リールの回転速度の影響を受けずに、且つ、回転リールの回転位置の検出までの検出時間を短くすることができるようにした回転リールを提供することができる。
【発明を実施するための最良の形態】
【００２７】
（第１の形態）
（図面の説明）  図１乃至図１１は、本発明の第１の形態を示すものである。図１は回転リールの外観斜視図、図２はリールテープ上の図柄と突出片との関係の概略観念図、図３はリールテープ上の図柄と突出片との関係の一部概略観念図、図４は本発明の概念のポイントの概略図、図５は遊技機の入力、制御及び出力のブロック図、図６は回転位置検出制御手段のブロック図、図７は遊技機の外観正面図、図８乃至図１１は遊技機の動作の概略のフローをそれぞれ示すものである。
（遊技機10）  遊技機10は、図７に示すように、四角箱状の筐体11を有する。なお、この遊技機10は、具体的には、いわゆるスロットマシンであるが、回転リール40を使用するパチンコ等の他の遊技機であっても良い。前記筐体11の中央部から上部には、遊技者側に向かって臨む略四角窓状の表示窓12が形成されている。そして、この表示窓12の略中央には、三個の回転リール40の図柄61、いわゆる停止図柄61を見ることができる図柄表示窓13が形成されている。
【００２８】
上記回転リール40は、図７の向かって左端側に位置する左側回転リール43と、図７の向かって右端側に位置する右側回転リール45と、この左側回転リール43及び右側回転リール45の間に位置する中央回転リール44とからなるものである。そして、遊技機10の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、遊技メダルの投入枚数が、１枚の場合、五本の入賞ラインのうち、横中央の一本が入賞有効ラインとなる。そして、遊技メダルの投入枚数が、２枚の場合、五本の入賞ラインのうち、横方向の三本が入賞有効ラインとなる。そして、遊技メダルの投入枚数が、３枚の場合、対角線も含めた五本の入賞ラインの全部が、入賞有効ラインとなる。
【００２９】
遊技機10の内部には、図示していないが、遊技機10の全体の動作を制御するための制御装置20（図１参照）が内蔵されている。
（制御装置20）  上記制御装置20は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）遊技制御装置21及び（２）演出制御装置22の装置を有するものである。
図１に示すように、スタートスイッチ30及びストップスイッチ50の操作により、回転リール40の回転及び停止を制御するための遊技制御装置21と、ランプやスピーカ等の報知手段66を制御するための演出制御装置22とが内蔵されている。また、ＣＰＵは、遊技制御装置21及び演出制御装置22に、それぞれ一個ずつ配置されているが、特にこれに限定されるものではなく、一個のＣＰＵで制御しても良く、或いは、二個以上のＣＰＵで制御するようにしても良いものである。また、ＣＰＵ、ＲＯＭ、ＲＡＭ及びＩ／Ｏ等は一体化されてワンチップを構成しても良いものである。
【００３０】
（遊技制御装置21）  この遊技制御装置21は、次の手段として機能する。
（１）遊技制御手段27
（２）当選抽選手段110
（３）回転位置検出制御手段130
また、遊技制御装置21としては、上記した（１）乃至（３）の手段に限定されるものではなく、他の手段を含んでいても良い。
（演出制御装置22）  前記演出制御装置22は、主として演出データに関するものであって、報知ランプ69、スピーカ67及び表示装置68の報知手段66を制御するためのものである。そして、遊技制御装置21の内部データの信頼性を担保するため、遊技制御装置21と演出制御装置22との間での信号のやりとりは、一方通行となるように設定されている。すなわち、遊技制御装置21から、演出制御装置22に向かって出力信号のみが送出され、この演出制御装置22から遊技制御装置21に向かっていかなる信号も送出されないように設定されている。これにより、当選率等の抽選に関するデータを有する遊技制御装置21のデータ保護を容易なものにすることができる。そして、この演出制御装置22は、次の手段として機能する。
【００３１】
（１）演出データ記憶手段25
（２）演出制御手段26
また、演出制御装置22としては、上記した手段に限定されるものではなく、他の手段を含んでいても良い。
上記制御装置20の入力側には、主として制御装置20に信号を送る入力手段が配置され、上記制御装置20の出力側には、主として制御装置20からの信号が送り込まれる出力手段が配置されている。
（入力手段）  上記制御装置20の入力側には、図５に示すように、次のパーツが接続されている。
【００３２】
（１）投入スイッチ15
（２）ベットスイッチ16
（３）精算スイッチ17
（４）スタートスイッチ30（開始操作手段31）
（５）ストップスイッチ50（停止操作手段51）
（６）通過タイミング検出手段140(141,142)
なお、入力手段としては、上記した（１）乃至（６）のパーツに限定されるものではない。
【００３３】
（出力手段）  上記制御装置20の出力側には、図５に示すように、次のパーツが接続されている。
（１）リールユニット60
（２）払い出し装置65
（３）報知手段66（報知ランプ69、スピーカ67及び表示装置68）
なお、出力手段としては、上記した（１）乃至（３）のパーツに限定されるものではない。
（投入スイッチ15）  上記投入スイッチ15は、図７に示すように、回転リール40の斜め下方に位置するスイッチであって、遊技メダルのメダル投入口18から投入された遊技メダルを検知するためのものである。
【００３４】
（ベットスイッチ16）  上記ベットスイッチ16は、図７に示すように、回転リール40の下方に位置するスイッチであって、貯留メダル数を減じてメダル投入に代えるためのものである。
（精算スイッチ17）  上記精算スイッチ17は、図７に示すように、回転リール40の斜め下方に位置するスイッチであって、貯留した投入メダルを払い出すためのものである。
（スタートスイッチ30）  上記スタートスイッチ30は、前記図柄表示手段としての回転リール40の回転停止表示を回転変動表示へ移行させるために遊技者により変動開始操作が可能な変動開始操作手段31であって、図７に示すように、回転リール40の斜め下方に位置するレバーであって、遊技メダルの投入若しくはベットスイッチ16の投入を条件に、または、「再遊技（リプレイ、Replay）」時には前遊技から所定時間経過を条件に、リールユニット60の駆動を開始させるためのものである。
【００３５】
なお、ここで、「再遊技（リプレイ、Replay）」とは、当選抽選手段110の抽選により、「再遊技（リプレイ、Replay）」のフラグが成立し、「再遊技（リプレイ、Replay）」の図柄が入賞有効ライン上に揃うことにより、次の遊技において、遊技メダルを新たに投入することなく、再度、遊技を行うことができるものである。
（ストップスイッチ50）  上記ストップスイッチ50は、前記図柄表示手段の回転変動表示を回転停止表示へ移行させるために遊技者により複数個の前記図柄表示手段を別個独立に停止操作が可能な変動停止操作手段51であって、リールユニット60の駆動を停止させるためのものである。具体的には、ストップスイッチ50は、図７に示すように、各回転リール40に対応した三個のスイッチから構成され、各回転リール40の下方に１個ずつ配置されているものである。遊技者が回転リール40に対応したストップスイッチ50を指で押す又は触れる等の停止操作により、当該対応した回転リール40が回転を停止するように設定されているものである。
【００３６】
（通過タイミング検出手段140）  前記通過タイミング検出手段140は、後述するインデックス150としての突出片151の通過開始タイミング及び通過終了タイミングを検出して検出信号（後述するインデックス検出開始信号及びインデックス検出終了信号）を出力可能な単一のセンサーである。この通過タイミング検出手段140は、図１に示すように、基体としてのリールユニット60の枠体62に、各回転リール40に対応して１個ずつ合計３個形成されている。通過タイミング検出手段140は、次の（１）及び（２）を備えている。
（１）通過タイミング検出センサー141
（２）インデックス信号出力手段142
（通過タイミング検出センサー141）  前記通過タイミング検出センサー141は、インデックス150の通過開始タイミング及び通過終了タイミングを検出するためのセンサーである。この通過タイミング検出センサー141は、具体的には、図１に示すように、全体形状が略コ字状の光センサーであって、回転リール40の突出片151が回転移動する領域をコ字状部分で挟み込むように配置されている。この通過タイミング検出センサー141のコ字状内面の一端には、発光素子（ＬＥＤ）が埋め込まれ、コ字状内面の他端に受光素子（フォトトランジスタ）が埋め込まれている。そして、そのコ字状の内部を、突出片151が移動することにより、発光素子からの光が遮断され、突出片151の位置を検知可能なものである。具体的には、通過タイミング検出センサー141は、突出片151が発光素子からの光を遮断するタイミングを、通過開始タイミングとして検出する。そして、通過タイミング検出センサー141は、突出片151により発光素子からの光を遮断していた状態から突出片151が更に移動して受光素子で受光できるようになったタイミングを通過終了タイミングとして検出する。
【００３７】
（インデックス信号出力手段142）  前記インデックス信号出力手段142は、通過タイミング検出センサー141によりインデックス150の検出を開始した際、インデックス検出開始信号を出力し、インデックスの検出を終了した際、インデックス検出終了信号を出力するためのものである。具体的には、インデックス信号出力手段142は、通過タイミング検出センサー141が通過開始タイミングを検出した際、インデックス検出開始信号を出力する。そして、インデックス信号出力手段142は、通過タイミング検出センサー141が通過終了タイミングを検出した際、インデックス検出終了信号を出力する。
（リールユニット60（回転リール40、モータドライバ121、駆動モーター120））  上記リールユニット60は、複数の配列された図柄を回転変動表示又は回転停止表示するための複数個の図柄表示手段41を備えているものである。この図柄表示手段41は、２１個の図柄を周囲に均等に配列した筒状の回転リール40である。この回転リール40の外周表面の２１個の図柄61には、図２に示すように、各図柄61の表示位置により異なる図柄番号が付与されている。そして、この回転リール40の回転駆動軸63には、回転リール40を回転駆動させるための回転駆動源である駆動モーター120としてのステッピングモーター122が固定されている。この駆動モーター120は、リールユニット60の基体である枠体62に固定された回転駆動力を発生するものである。そして、リールユニット60には、この駆動モーター120を回転駆動させるためのモータドライバ121が形成されている。このモータドライバ121には、遊技制御装置21からの制御信号としてのパルス信号が入力されることにより、ステッピングモーター122を回転駆動させる駆動電力を供給するためのものである。このステッピングモーター122は、５０４ステップで、３６０度、すなわち１周するように設定されている。そして、モータドライバ121に１パルスの制御信号が入力されることにより、ステッピングモーター122が１ステップ角（具体的には、０．７１４２・・度）だけ、回転するように設定されている。すなわち、５０４パルスの制御信号がモータドライバ121に入力されることにより、ステッピングモーター122は、３６０度、すなわち１回転するものである。回転リール40の周囲には、２１個の図柄が配置されているため、２４パルスの制御信号がモータドライバ121に入力されると、ステッピングモーター122は２４ステップ移動し、結果として２４ステップ角だけ回転移動して１図柄分だけ回転移動するように設定されている。
【００３８】
そして、リールユニット60は、特に図示しないが枠体に固定或いは支持された三個の駆動モーター120と、各々の駆動モーター120の回転駆動軸63に固定された三個の回転リール40とを備えている。そして、各回転リール40は、合成樹脂からなる有底円筒状のリール枠状部46と、このリール枠状部46の周囲に貼付されるテープ状のリールテープ42とを備えている。このリールテープ42の外周面には、複数個（例えば２１個）の図柄61が表示されている。前記リール枠状部46は、全体として、骨組み状、すなわち枠状に形成されてあり、軽量化されている。そして、このリール枠状部46は、円筒状のリール円筒部47と、このリール円筒部47の一方の（図１では右側）円周側縁に取り付けられたリング状のリング状部49と、このリング状部49の内周縁から回転駆動軸63に向かって延びる３本のリール支持軸部48とを備えている。そして、リング状部49には、このリング状部49の内面側から軸方向に向かって突出する四角板状の突出片151が形成されている。
【００３９】
（突出片151）  前記突出片151は、インデックス150としての突出片151を各図柄61に対応するようにそれぞれ形成されているものである。この突出片151は、リールテープ42の外周面に表示される２１個の図柄に１対１に対応するように２１個形成されている。すなわち、１個の図柄61に対して１個のインデックス150としての突出片151が形成されている。
そして、この突出片151は、対応する図柄61毎に各々その回転方向の長さを異に形成されている。具体的には、図２及び図３に示すように、図柄番号１に対応するインデックス150としての突出片151の回転方向の長さが最も長く形成されている。そして、図柄番号２、３・・に対応する突出片151の回転方向の長さが、順次、短くなるように形成され、図柄番号２１に対応する突出片151の回転方向の長さが、最も短くなるように形成されている。もちろん、突出片151の回転方向の長さの異なるものの配置は、これに限定されるものではなく、図柄番号が大きくなるほど、突出片151の回転方向の長さを長くするように設定しても良く、或いは、長さがランダムになるように配置しても良い。
【００４０】
そして、この突出片151は、その表裏面が、リング状部49の同一円周面上に整合するように配置されている。回転リール40が回転することにより、通過タイミング検出センサー141のコ字状の内部を横切ることができるように配置されている。そして、駆動モーター120による回転を開始した後、インデックスの通過開始タイミング及び通過終了タイミングを検知して、かかるインデックスの通過時間を計測することにより、当該インデックス150を特定し、当該インデックス150に対応する図柄番号の図柄を特定し、現在の回転リール40の回転位置を検出することができるように形成されている。
（払い出し装置65）  上記払い出し装置65は、いわゆるホッパーユニットであって、図示しないが、投入された遊技媒体を貯留することができるとともに、入賞した場合に、遊技者に向かって所定数の遊技媒体をメダルを払い出すためのものである。
【００４１】
（報知手段66）  上記報知手段66は、遊技者に当選や入賞等を音や光や映像で報知させるためのものである。具体的には、報知手段66は、筐体11の下部に埋め込まれた左右２個のスピーカー67と、表示窓12の上部中央に配置されたドット状の大型パネルＬＥＤからなる表示装置68と、表示窓12の周囲縁に配置された５個の報知ランプ69とを備えているものである。そして、この報知手段66は、演出制御装置22の制御により、当選時や入賞時にスピーカ67から当選音や入賞音を発生させ、報知ランプ69を点灯又は点滅させることにより、また、表示装置68に図柄模様や文字列を点灯表示させることにより、遊技者に当選や入賞等を報知させるためのものである。
【００４２】
（遊技制御手段27）  前記遊技制御手段27は、遊技を行わせるためのものである。
すなわち、メダルの投入若しくはベットスイッチ16の投入を条件に、または、「再遊技（リプレイ、Replay）」時には前遊技から所定時間経過を条件に、スタートスイッチ30を操作すると、リールユニット60が駆動され、三個の回転リール40が回転を開始する。その後、ストップスイッチ50の一個を操作すると、当該対応する回転リール40の回転が停止する。そして、ストップスイッチ50を三個全て操作し終わると、三個の回転リール40の回転が全て停止する。このとき、表示窓12の入賞有効ライン上に、予め設定された図柄61が停止すると、ホッパーユニット65を介して所定枚数のメダルが払い出される。なお、メダルを払い出す代わりに、クレジットしても良い。
【００４３】
当選には、入賞した場合、遊技メダルの払い出しを伴い、遊技者に利益を付与する小役当選（この小役当選が入賞した場合は小役入賞となる）と、入賞した場合、この小役当選よりもさらに大きな利益を遊技者に付与する特別当選（この特別当選が入賞した場合は特別入賞となる）と、入賞した場合、遊技メダルの払い出しは無いが、遊技メダルを新たに投入することなく再度の遊技を行うことができる「再遊技（リプレイ、Replay）当選」（この再遊技当選が入賞した場合は再遊技入賞となる）の当選とを備えている。そして、その抽選結果がいずれかの当選となった場合（内部入賞とも言う。）、その当選に対応した当選フラグが成立する。
【００４４】
ここで、「フラグ」とは、当選抽選手段110の抽選結果が所定の当選役に当選の場合に、当選であることを記憶しておくためのメモリーであり、小役当選の場合には、小役当選フラグを成立させ、抽選結果が特別当選である場合には特別当選フラグを成立させるものである。そして、この特別当選の当選フラグ成立中に、リールユニット60の回転リール40の停止図柄61の組み合わせが、予め定められた所定の当選図柄61（例えば、入賞有効ライン上に「７」が三個揃うもの）と一致したことを条件に入賞し、遊技者に有利な特別遊技を行わせるように形成されている。そして、抽選により特別当選フラグが成立したが、回転リール40の停止図柄61の組み合わせが当選図柄61と一致していない場合、それ以後の遊技に当選フラグ成立の権利が持ち越されるように設定されている。なお、小役当選の当選フラグは、当選フラグが成立した遊技で入賞させられない場合、当選フラグ成立の権利の次の遊技への持ち越しはない。
【００４５】
（蹴飛ばし設定と、引き込み設定）  前記回転リール40の回転及び停止を制御する停止制御として、入賞図柄の組み合わせを遊技者がストップスイッチ50を操作して所定位置に停止させようとしても、回転リール40が回転して、かかる当選図柄が所定位置に揃わないように設定した蹴飛ばし設定と、ストップスイッチ50を操作した状態から所定の図柄数だけ回転リール40の回転上流側に位置する引き込み可能図柄の中に、当選フラグ成立中の当選図柄が含まれているような場合に、当選図柄を所定位置にまで引き込んで停止するように設定した引き込み設定とを備えている。
また、いずれかの当選フラグが成立中に、対応する当選図柄61を入賞有効ライン上に揃えることができるか否かは、回転リール40の回転速度が一定の場合、ストップスイッチ50のタイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄61、例えば停止図柄から連続する４個の引き込み可能図柄61の中に、対応する当選図柄61が含まれているような場合には、停止するまでの時間を遅らせて、回転リール40は入賞有効ライン上にその当選図柄61を引き込んで停止する。一方、かかる４個の引き込み可能図柄61の中に、対応する当選図柄61が含まれていないような場合には、入賞有効ライン上にその当選図柄61を引き込んで停止することができない。また、いずれの当選フラグも成立していない場合には、入賞図柄の入賞確定は不可能となるように設定されている。すなわち、いずれの当選フラグも成立していない場合には、蹴飛ばし設定により、入賞図柄が、所定の入賞有効ライン上に揃わないような位置に停止する、いわゆる蹴飛ばされる。
【００４６】
（当選抽選手段110）  上記当選抽選手段110は、予め定めた当選率に基づいて当選か否かの当選判定の抽選を行うものである。そして、当選抽選手段110による抽選結果が当選である場合（内部入賞とも言う。）に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
上記当選抽選手段110は、図１に示すように、大別すると、次の手段を備える。
（１）当選乱数発生手段111
（２）当選乱数抽出手段112
（３）当選判定テーブル113
（４）当選判定手段114
なお、当選抽選手段110としては、上記した（１）乃至（４）に限定されるものではない。
【００４７】
（当選乱数発生手段111）  上記当選乱数発生手段111は、抽選用の乱数を所定の領域内（例えば十進数で０乃至６５５３５）で発生させるものである。なお、ここで、「乱数発生手段」には、ソフト乱数としての平均採中法（ｎ桁の数字を２乗して中央のｎ桁の数を取り出すことの繰り返しによる乱数発生方法）等で乱数を発生させることができるものや、一定範囲の数字を高速で１ずつ加算するカウンタを用いて構成するものがある。例えば、０乃至６５５３５の範囲の数字を、１秒間に数百万回程度順次繰り返すようにしたカウンタが考えられる。そして、「当選乱数抽出手段」としては、スタートスイッチを押したタイミングでカウンタの数字を読みとることとなる。このように形成すると、「当選乱数発生手段」では乱数を発生しているわけではないものの、「当選乱数抽出手段」によって抽出される数字は、あたかも乱数のような分布となるものである。このように結果として乱数のような分布を示す数字が得られる手段を、ここでは、「当選乱数発生手段」或いは「当選乱数抽出手段」に含めて考えるものである。
【００４８】
（当選乱数抽出手段112）  上記当選乱数抽出手段112は、当選乱数発生手段111が発生する乱数を、所定の条件（例えば、スタートスイッチ30の操作）で抽出するものである。なお、この抽出した乱数を抽出乱数データとする。
（当選判定テーブル113）  上記当選判定テーブル113は、当選乱数発生手段111がとる乱数の全領域中、各当選項目の当選領域を有するものである。この当選判定テーブル113は、異なる抽選確率を記憶した複数のものが形成されている。具体的には、当選判定テーブル113は、第１設定当選判定テーブルと、第２設定当選判定テーブルと、第３設定当選判定テーブルと、第４設定当選判定テーブルと、第５設定当選判定テーブルと、第６設定当選判定テーブルとを備えているものである。この第１〜６設定当選判定テーブルは、それぞれ異なる抽選確率が記録されてあり、第１設定当選判定テーブルから第６設定当選判定テーブルまで、順に、抽選確率が高くなるように設定されている。
【００４９】
（当選判定手段114）  上記当選判定手段114は、当選乱数抽出手段112が抽出した抽出乱数データと、当選判定テーブル113の当選率データを基に当選乱数発生手段111がとる乱数の全領域中の各当選項目の当選領域からなる当選判定領域データとを照合し、当該抽出乱数データが属する当選領域に対応する当選を決定するものである。
（回転位置検出制御手段130）  前記回転位置検出制御手段130は、駆動モーター120としてのステッピングモーター122の回転位置を検出するためのものである。この回転位置検出制御手段130は、図５に示すように、以下の（１）及び（２）を備えている。
（１）通過時間計測手段160
（２）時単位回転位置決定手段170
（通過時間計測手段160）  前記通過時間計測手段160は、前記回転リール40が定常回転速度に到達する予め定めた特定時間経過後、通過タイミング検出手段140からの検出信号に基づいて通過開始タイミングから通過終了タイミングまでの経過時間を、当該インデックス150の通過時間として計測するためのものである。
【００５０】
具体的には、通過時間計測手段160には、回転リール40が回転を開始して、定常回転速度に到達する予め定めた特定時間が記憶されている。そして、この通過時間計測手段160は、スタートスイッチ30が操作されて回転リール40の回転が開始されてから、かかる予め定めた特定時間が経過するまでの時間をカウントしている。この間は、通過時間計測手段160は、インデックス150の通過時間を計測しないように設定されている。そして、通過時間計測手段160は、かかる回転リール40が定常回転速度に到達する予め定めた特定時間経過後、インデックス150の通過時間を計測するものである。すなわち、通過時間計測手段160は、かかる特定時間経過後、インデックス信号出力手段142からのインデックス検出開始信号の入力を契機にインデックス150の通過時間の計測を開始し、インデックス信号出力手段142からのインデックス検出終了信号の入力を契機に、当該インデックス150の通過時間の計測を終了する。そして、通過時間計測手段160は、かかるインデックス検出開始信号の入力タイミングからインデックス検出終了信号の入力タイミングまでの時間を当該インデックス150の通過時間としてカウントするものである。
【００５１】
（時単位回転位置決定手段170）  前記時単位回転位置決定手段170は、通過時間計測手段160が計測した経過時間により、２１個の図柄のうち、いずれの図柄61に対応するインデックス150が通過したか決定して、回転リール40の回転位置を検出するためのものである。この時単位回転位置決定手段170は、図６に示すように、次の（１）から（４）の手段を備えている。
（１）時単位インデックス情報記憶手段171
（２）基本通過時間選択手段172
（３）時単位図柄番号決定手段173
（４）時単位リール図柄位置決定手段174
（時単位インデックス情報記憶手段171）  前記時単位インデックス情報記憶手段171は、予め定めた回転リール40の回転速度から２１個のインデックス150の通過時間（いわゆる基本通過時間）を記憶しているものである。この基本通過時間は、回転リール40が定常回転速度で回転している場合に、通過タイミング検出センサー141の位置で、各突出片151の回転方向の長さが移動する時間を意味する。この突出片151の回転方向の長さは、各図柄61のインデックス150として２１個それぞれ異なる長さに設定されている。このため、各突出片151が移動する時間は、突出片151毎に異なるように設定されているものである。結果として、２１個の突出片151毎に、基本通過時間が設定されている。
【００５２】
（基本通過時間選択手段172）  前記基本通過時間選択手段172は、通過時間計測手段160により計測したインデックス150の通過時間に最も近い基本通過時間を選択するためのものである。具体的には、基本通過時間選択手段172は、通過時間計測手段160により計測されたインデックス150の通過時間と、時単位インデックス情報記憶手段171に記憶されている２１個の全ての基本通過時間との差の絶対値を算出する。そして、基本通過時間選択手段172は、算出した差の絶対値が最も小さくなるような基本通過時間を選択するものである。
（時単位図柄番号決定手段173）  前記時単位図柄番号決定手段173は、基本通過時間選択手段172により選択された基本通過時間に対応する図柄番号を決定するためのものである。これにより、２１個の図柄に付された２１個の図柄番号のうち、いずれの図柄番号のインデックス150が通過したか決定することができる。なお、基本通過時間に対応する図柄番号は、予め記憶されているものである。
【００５３】
（時単位リール図柄位置決定手段174）  前記時単位リール図柄位置決定手段174は、時単位図柄番号決定手段173により決定された図柄番号から当該回転リール40の回転位置を決定するためのものである。なお、２１個の全ての突出片151に対して、通過終了タイミング、すなわち、インデックス検出終了信号が出力された時点での回転リール40の回転位置は、予め記憶されているものである。これにより、図柄番号が決定された時点で、当該突出片151の通過終了タイミング、いわゆるインデックス検出終了信号が出力された時点での当該回転リール40の回転位置を特定することができるものである。
（演出データ記憶手段25）  上記演出データ記憶手段25は、報知手段66の演出データを記憶するためのものである。具体的には、例えば、入賞時の報知手段66のスピーカ67から発生させるサウンドや、報知ランプ69の点灯、点滅の時間や順序等のデータや、表示装置68に表示される図柄模様及び文字列のデータが記憶されているものである。もちろん、記憶する演出内容は、これらに限定されるものではなく、予め記憶された音声や、振動や、他のランプの点灯等の種々の報知手段によるものでも良いものである。
【００５４】
（演出制御手段26）  上記演出制御手段26は、演出データ記憶手段25からの各演出データを、制御装置20等からの制御信号に基づいて、報知手段66に出力し、かかる装置を制御するためのものである。
具体的には、当選フラグ成立の可能性が大きいときや、所定の当選フラグ成立中に所定の入賞有効ライン上に当該当選図柄が揃うことにより入賞したときに、演出データ記憶手段25からの演出情報に基づいて、報知ランプ69の所定位置のランプを点灯や点滅させたり、スピーカ67から所定の電子音を発生させたり、表示装置68に所定の図柄模様及び文字列を点灯表示させるためのものである。
【００５５】
（遊技機10の動作）  次に、上記構成を備えた遊技機の通常遊技の動作の概略について、図８乃至図１１に示したフローを用いて説明する。
先ず、図８に示すステップ１０２において、スタートスイッチ30が操作されることにより、スタートスイッチ30がＯＮとなる。そして、次のステップ１０３に進む。
ステップ１０３において、当選抽選手段110により抽選処理が行われる。そして、次のステップ１０４に進む。
ステップ１０４において、回転リール40の回転が開始する。そして、次のステップ１０５に進む。
【００５６】
ステップ１０５において、各回転リール40の回転位置検出処理が行われる。そして、次のステップ１０６に進む。
ステップ１０６において、ストップスイッチ50が操作されることにより、ストップスイッチ50がＯＮとなる。そして、次のステップ１０７に進む。
ステップ１０７において、回転リール40の回転停止処理が行われる。そして、次のステップ１０８に進む。
ステップ１０８において、三個の回転リール40に対応するストップスイッチ50の操作が行われたか否かが判定される。そして、三個の回転リール40に対応するストップスイッチ50の操作が行われたと判定された場合、次のステップ１０９に進む。
【００５７】
ステップ１０９において、当選フラグ成立中に当該当選フラグに対応する当選図柄が入賞有効ライン上に揃ったか否か、すなわち、入賞したか否かが判定される。そして、入賞したと判定された場合、次のステップ１１０に進む。
ステップ１１０において、当選図柄に相当するメダルが払い出される。そして、遊技が終了する。
前記ステップ１０８において、三個の回転リール40に対応するストップスイッチ50の操作が行われていないと判定された場合、ステップ１０６に戻る。
前記ステップ１０９において、入賞していないと判定された場合、ステップ１１０を飛び越して、遊技が終了する。
【００５８】
上述したステップ１０３の抽選処理について、図９のフローを用いて説明する。
ステップ２００において、当選抽選手段110の当選乱数発生手段111により発生された乱数の中から当選乱数抽出手段112により乱数が抽出される。そして、次のステップ２０１に進む。
ステップ２０１において、抽出された乱数が当選乱数抽出手段112の内部に記憶される。そして、次のステップ２０２に進む。
ステップ２０２において、当選判定手段114により、抽出された乱数と、当選判定テーブル113の当選判定領域データとの比較が行われる。そして、次のステップ２０３に進む。
【００５９】
ステップ２０３において、当選判定手段114により、抽出された乱数が、当選判定テーブル113のどの当選領域に含まれるか決定され、当選抽選処理の評価が決定される。そして、次のステップ２０４に進む。
ステップ２０４において、所定の図柄の蹴飛ばしと、所定図柄の引き込みとが設定される。そして、当選抽選処理が終了する。
上述したステップ１０５の各回転リール40の回転位置検出処理について、図１０を用いて説明する。なお、この回転位置検出処理は、３個の回転リール40のそれぞれにおいて、行われるものであるが、フロー内容は、いずれの回転リール40でも同一であるため、いずれか１個の回転リール40の回転位置検出処理についてだけ説明する。
【００６０】
先ず、ステップ２５０において、通過時間計測手段160により、回転リール40の回転が開始されてから、定めた特定時間が経過したか否かが判定される。なお、この特定時間は、回転リール40の回転開始後、回転リール40の回転速度が、所定の定常回転速度に到達する時間であって、予め記憶されているものである。そして、予め定めた特定時間が経過していると判定された場合、次のステップ２５１に進む。
ステップ２５１において、通過タイミング検出手段140によりインデックス150である突出片151の検知を開始したか否かが、すなわち通過開始タイミングに到達したか否かが判定される。そして、通過タイミング検出センサー141により、インデックス150の検知を開始した、すなわち通過開始タイミングに到達したと判定された場合、次のステップ２５２に進む。
【００６１】
ステップ２５２において、インデックス信号出力手段142によりインデックス検出開始信号が出力される。そして、次のステップ２５３に進む。
ステップ２５３において、通過時間計測手段160により、当該インデックス150の通過時間の計測が開始される。そして、次のステップ２５４に進む。
ステップ２５４において、通過タイミング検出センサー141による当該インデックス150である突出片151の検知を終了したか否かが判定される。そして、通過タイミング検出センサー141によるインデックス150の検知を終了していると判定された場合、次のステップ２５５に進む。
【００６２】
ステップ２５５において、インデックス信号出力手段142により、インデックス検出終了信号が出力される。そして、次のステップ２５６に進む。
ステップ２５６において、通過時間計測手段160により、当該インデックス150の通過時間の計測が終了され、当該インデックス150の通過時間が決定される。そして、次のステップ２５７に進む。
ステップ２５７において、基本通過時間選択手段172により、計測された通過時間に最も近い基本通過時間が選択される。そして、次のステップ２５８に進む。
ステップ２５８において、選択された基本通過時間に対応する図柄番号が、時単位図柄番号決定手段173により選択される。そして、次のステップ２５９に進む。
【００６３】
ステップ２５９において、選択された図柄番号により、回転リール40の回転位置が決定される。そして、回転位置検出処理が終了する。
前記ステップ２５１において、通過タイミング検出手段140により、インデックス150の検知が開始していないと判定された場合、ステップ２５０の後に戻る。
前記ステップ２５４において、通過タイミング検出手段140により、インデックス150の検知を終了していないと判定された場合、ステップ２５３の後に戻る。
上述したステップ１０７の回転リール40の回転停止処理について、図１１を用いて説明する。
【００６４】
ステップ３００において、所定の図柄に対して、蹴飛ばしの設定が達成されたか否かが判定される。この蹴飛ばしの設定は、全ての入賞有効ライン上で、当選抽選手段110の抽選結果に基づいて不当入賞が発生しないように全ての停止操作タイミングにおいて、設定されているものである。そして、所定の図柄の蹴飛ばしの設定が達成されていないと判定された場合、次のステップ３０１に進む。
ステップ３０１において、１個の図柄分だけ、回転リール40を回転させる。すなわち、１個の図柄分だけ蹴飛ばしを行う。そして、次のステップ３０２に進む。
ステップ３０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ３０３に進む。
【００６５】
ステップ３０３において、回転リール40の回転を停止させる。これにより、メダル投入から回転リール40の回転停止までの遊技機10の動作が終了する。
前記ステップ３００において、所定の図柄の蹴飛ばしの設定が達成されていると判定された場合、次のステップ３０４に進む。
ステップ３０４において、いずれかの図柄に対して引き込みが設定されているか否かが判定される。そして、いずれかの図柄に対して引き込みが設定されていると判定された場合、次のステップ３０５に進む。
ステップ３０５において、引き込み設定が達成されたか否かが判定される。そして、引き込み設定が達成されたと判定された場合、次のステップ３０３に進む。
【００６６】
前記ステップ３０４において、いずれの図柄に対しても引き込みが設定されていないと判定された場合、ステップ３０３に進む。
前記ステップ３０５において、引き込み設定が達成されていないと判定された場合、ステップ３０１に進む。
前記ステップ３０２において、ストップスイッチ50を操作した後、１図柄ずつ回転リール40を回転させてずらした図柄の数が４個目でない場合には、ステップ３００に戻る。
なお、上述した実施の形態において、回転リール40の停止処理に関してステップ３０１乃至ステップ３０５で説明しているが、この例は、引き込み範囲図柄のうち、基準位置に近い図柄から条件を調査する、いわゆる最小引き込み停止制御の例である。逆に、引き込み範囲図柄のうち、基準位置に遠い図柄から条件を調査する、いわゆる最大引き込み停止制御としても良い。
【００６７】
更には、例えば、ストップスイッチ50を押すタイミングで予め定めたテーブルに従って回転リール40の停止位置を決定する、いわゆるテーブル停止制御の方法によるものでも良いものである。このテーブル停止制御は、当選フラグ成立の有無や、当選フラグ成立中の当選図柄に基づいた複数のテーブルを有し、この複数のテーブルから適宜、遊技状況に応じたテーブルが選択されるものである。
なお、テーブル停止制御においても、当選フラグが成立しているときには、その当選フラグに対応する図柄が入賞有効ライン上に揃うように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
【００６８】
（作用）  本形態は、図４に示すように、２１個の各図柄に対応するインデックス150としての突出片151の回転方向の長さがそれぞれ異なることにより、このインデックス150としての突出片151の通過時間がそれぞれ異なる。これにより、通過時間を検出することで、突出片151及び対応する図柄を特定し、回転リール40の現在位置を特定することができるものである。
具体的には、本形態では、インデックス150としての突出片151が、回転リール40の外周表面の各図柄61に対応するようにそれぞれ形成されている。そして、通過タイミング検出手段140が、各インデックス150の通過開始タイミング及び通過終了タイミングを検出する。そして、通過時間計測手段160が、通過開始タイミングから通過終了タイミングまでの経過時間を、当該インデックス150の通過時間として計測する。そして、時単位回転位置決定手段170は、通過時間計測手段160が計測した通過時間により、いずれの図柄61に対応するインデックス150が通過したか算出して、回転リール40の現在の回転位置を検出することができる。
【００６９】
各図柄61毎にインデックス150が対応するように形成されているため、回転リール40の回転速度が予め定めた定常回転速度に達していれば、各図柄61のインデックス150の通過開始タイミング及び通過終了タイミングが通過タイミング検出手段140により検出された時点で、上述したように回転位置を検出することができる。すなわち、１個の図柄61のインデックス150の通過開始タイミング及び通過終了タイミングを通過タイミング検出手段140により検知することができれば、その通過時間を計測して、当該インデックス150に対応する図柄61を検知することができて、回転リール40の回転位置を検出することができる。したがって、１個の図柄61のインデックス150の通過時間を通過タイミング検出手段140及び通過時間計測手段160により検知することができれば、当該インデックス150に対応する図柄61の図柄番号を検知することができて、回転リール40の回転位置を検出することができる。
【００７０】
これにより、インデックスを１個だけ有しているような回転リールと比較して、回転位置を検出するために、回転リールが最大１周、回転しなければならないようなことを回避することができ、回転位置の検出までの検出時間を短くすることができる。また、回転リール40の停止した状態が如何なる回転位置で停止していても、回転リール40の回転検出までの時間を、略一定にすることができる。
１個の回転リール40において、すべてのインデックス150の通過開始タイミング及び通過終了タイミングを単一の通過タイミング検出手段140により、検出して、通過時間計測手段160により通過時間を計測している。このため、複数列のインデックスを検知するための複数のセンサー等を必要とすることがない。これにより、センサーとしては、１個の通過タイミング検出手段140だけで済み、複数のセンサーを必要とするものと比較して、部品数低減可、コスト低減化を図ることができる。
【００７１】
本形態に係る回転リール40は、外周表面の複数の図柄にそれぞれ対応する突出片151が形成されている。そして、その突出片151の回転方向の長さが、各突出片151毎にそれぞれ異なるように形成されている。このため、回転リール40の回転速度が定常回転速度に達した後、通過タイミング検出手段140により、インデックス150の通過開始タイミング及び通過終了タイミングを検出して、その検出結果により、インデックス150の通過時間を計測すれば、いずれのインデックス150が通過したか決定することが可能となり、かかるインデックス150に対応する図柄位置を特定することが可能になる。
（第２の形態）
図１２から図１６までは第２の形態であって、図１２はリールテープ上の図柄と突出片との関係の一部概略観念図、図１３は本発明の概念のポイントの概略図、図１４は遊技機の入力、制御及び出力のブロック図、図１５は回転位置検出制御手段のブロック図、図１６は回転位置検出処理手段のフローをそれぞれ示すものである。
【００７２】
第１の形態では、突出片151の回転方向の長さの違いを、回転リール40が定常回転速度に到達した後、突出片151が通過タイミング検出手段140を通過する通過時間によって、当該突出片151及びインデックス150の特定を行っていた。しかし、本形態では、通過時間ではなく、突出片151が、通過タイミング検出手段140を通過するステッピングモーター122のステップ数によって突出片151及びインデックス150の特定を行い、回転リール40の回転位置を検出するものである。以下に、第１の形態とは異なる点を主に説明する。
（突出片151）  前記突出片151は、第１の形態と同様に、回転リール40の２１個の図柄にそれぞれ対応するインデックス150としてリール枠状部46に形成されている。そして、突出片151の回転方向の角度は、ステッピングモーター122のステップ角の整数倍となるように形成されている。そして、突出片151は、対応する図柄61毎に回転方向の角度に対応する通過ステップ数がそれぞれ異なるように形成されている。
【００７３】
このステッピングモーター122は、５０４ステップで、３６０度、すなわち１周するように設定されている。そして、モータドライバ121に１パルスの制御信号が入力されることにより、ステッピングモーター122が１ステップ角（具体的には、０．７１４２・・度）だけ、回転するように設定されている。すなわち、５０４パルスの制御信号がモータドライバ121に入力されることにより、ステッピングモーター122は、３６０度、すなわち１回転するものである。回転リール40の周囲には、２１個の図柄が配置されているため、２４パルスの制御信号がモータドライバ121に入力されると、ステッピングモーター122は２４ステップ移動し、結果として２４ステップ角だけ回転移動して１図柄分だけ回転移動するように設定されている。
【００７４】
そして、図１２に示すように、図柄番号１のインデックス150としての突出片151は、その回転方向の長さが、２１ステップ分の長さに相当するような形状に形成されている。これは、回転角度では、２１ステップ角に相当するものである。そして、３ステップ分の長さの間隔が空いた後、図柄番号２のインデックス150としての突出片151は、その回転方向の長さが２０ステップ分の長さに相当するような形状に形成されている。これは、回転角度では、２０ステップ角に相当するものである。そして、４ステップ分の長さの間隔が空いた後、図柄番号３のインデックス150としての突出片151は、その回転方向の長さが１９ステップ分の長さに相当するような形状に形成されている。これは、回転角度では、１９ステップ角に相当するものである。そして、５ステップ分の長さの間隔が空いた後、図柄番号４のインデックス150としての突出片151は、その回転方向の長さが１８ステップ分の長さに相当するような形状に形成されている。以後、同様の関係で突出片151が形成され、図柄番号２１のインデックス150としての突出片151は、その回転方向の長さが１ステップ分の長さに相当するような形状に形成されている。これは、回転角度では、１ステップ角に相当するものである。このように、図柄番号１、２、・・・、２０、２１の各インデックス150の突出片151の回転方向の長さは、２１、２０、・・・、２、１ステップの長さに相当するように形成されている。このため、突出片151の回転方向の長さが、何ステップの長さに相当するか検出することができれば、それに対応する図柄番号を特定することができるものである。したがって、図１３に示すように、インデックス150としての突出片151の回転方向の長さがそれぞれ異なるように形成され、各突出片151の通過ステップ数がそれぞれ異なるため、各突出片151の通過ステップ数を検出することができれば、回転リール40の現在位置を判断することができるものである。
【００７５】
（回転位置検出制御手段130）  前記回転位置検出制御手段130は、駆動モーター120としてのステッピングモーター122の回転位置を検出するためのものである。この回転位置検出制御手段130は、図１４に示すように、以下の（１）及び（２）を備えている。
（１）通過ステップ数計測手段180
（２）ステップ単位回転位置決定手段190
（通過ステップ数計測手段180）  前記通過ステップ数計測手段180は、通過タイミング検出手段140からの検出信号に基づいて通過開始タイミングから通過終了タイミングまでに通過したステッピングモーター122のステップ数を、当該インデックス150の通過ステップ数として計測するためのものである。
【００７６】
具体的には、通過ステップ数計測手段180は、インデックス信号出力手段142からのインデックス検出開始信号の入力を契機にステッピングモーター122のステップ数の計測を開始し、インデックス信号出力手段142からのインデックス検出終了信号の入力を契機に、ステッピングモーター122のステップ数の計測を終了する。そして、通過ステップ数計測手段180は、かかるインデックス検出開始信号の入力タイミングからインデックス検出終了信号の入力タイミングまでに経過したステップの数を当該インデックス150の通過ステップ数としてカウントするものである。
（ステップ単位回転位置決定手段190）  前記ステップ単位回転位置決定手段190は、通過ステップ数計測手段180からの通過ステップ数により、いずれの図柄61に対応するインデックス150が通過したか決定して、回転リール40の回転位置を検出するためのものである。このステップ単位回転位置決定手段190は、図１５に示すように、以下の（１）から（３）の手段を備えている。
【００７７】
（１）ステップ単位インデックス情報記憶手段191
（２）ステップ単位図柄番号決定手段192
（３）ステップ単位リール図柄位置決定手段193
（ステップ単位インデックス情報記憶手段191）  前記ステップ単位インデックス情報記憶手段191は、各インデックス150の予め定めた通過ステップ数を記憶しているものである。具体的には、この突出片151の回転方向の長さは、ステップ角の整数倍に形成されるとともに、各図柄61のインデックス150として２１個それぞれ異なる長さ（回転方向）に設定されている。すなわち、図１２に示すように、図柄番号１、２、３、・・・、２０、２１のそれぞれの通過ステップ数は、２１、２０、１９、・・・、２、１（ステップ角）に予め設定されているものである。
【００７８】
（ステップ単位図柄番号決定手段192）  前記ステップ単位図柄番号決定手段192は、通過ステップ数計測手段180により計測したインデックス150の通過ステップ数に対応する図柄番号を決定するためのものである。これにより、２１個の図柄に付された２１個の図柄番号のうち、いずれの図柄番号のインデックス150が通過タイミング検出センサー141を通過したか決定することができる。なお、２１個の突出片151の通過ステップ数に対応する図柄番号は、予め記憶されている。
（ステップ単位リール図柄位置決定手段193）  前記ステップ単位リール図柄位置決定手段193は、ステップ単位図柄番号決定手段192により決定された図柄番号から当該回転リール40の回転位置を決定するためのものである。なお、２１個の全ての突出片151に対して、通過終了タイミング、すなわち、インデックス検出終了信号が出力された時点での回転リール40の回転位置は、予め記憶されているものである。これにより、図柄番号が決定された時点で、当該突出片151の通過終了タイミング、いわゆるインデックス検出終了信号が出力された時点での当該回転リール40の回転位置を特定することができるものである。
【００７９】
（遊技機10の動作）  次に、上記構成を備えた遊技機の通常遊技の動作の概略について、図１６に示したフローを用いて説明する。なお、図８、図９、図１１は、第１の形態で説明したものと同一であるため、その説明は省略し、第１の形態と異なる回転位置検出処理について、図１６のフローで説明する。
上述した図８のステップ１０５の各回転リール40の回転位置検出処理について、図１６を用いて説明する。なお、この回転位置検出処理は、３個の回転リール40のそれぞれにおいて、行われるものであるが、フロー内容は、いずれの回転リール40でも同一であるため、いずれか１個の回転リール40の回転位置検出処理についてだけ説明する。
【００８０】
先ず、ステップ３５１において、通過タイミング検出手段140によりインデックス150である突出片151の検知を開始したか否か、すなわち通過開始タイミングに到達したか否かが判定される。そして、通過タイミング検出センサー141により、インデックス150の検知を開始したと判定された場合、すなわち通過開始タイミングに到達したと判定された場合、次のステップ３５２に進む。
ステップ３５２において、インデックス信号出力手段142によりインデックス検出開始信号が出力される。そして、次のステップ３５３に進む。
ステップ３５３において、通過ステップ数計測手段180により、当該インデックス150の通過ステップ数の計測が開始される。そして、次のステップ３５４に進む。
【００８１】
ステップ３５４において、通過タイミング検出センサー141による当該インデックス150である突出片151の検知を終了したか否かが判定される。そして、通過タイミング検出センサー141によるインデックス150の検知を終了していると判定された場合、次のステップ３５５に進む。
ステップ３５５において、インデックス信号出力手段142により、インデックス検出終了信号が出力される。そして、次のステップ３５６に進む。
ステップ３５６において、通過ステップ数計測手段180による当該インデックス150の通過ステップ数の計測が終了され、当該インデックス150の通過ステップ数が決定される。そして、次のステップ３５７に進む。
【００８２】
ステップ３５７において、かかる通過ステップ数に対応する図柄番号が、ステップ単位図柄番号決定手段192により選択される。そして、次のステップ３５８に進む。
ステップ３５８において、選択された図柄番号により、回転リール40の回転位置が決定される。そして、回転位置検出処理が終了する。
前記ステップ３５１において、通過タイミング検出手段140により、インデックス150の検知が開始していないと判定された場合、ステップ３５１の前に戻る。
前記ステップ３５４において、通過タイミング検出手段140によるインデックス150の検知を終了していないと判定された場合、ステップ３５３の後に戻る。
【００８３】
（作用）  本形態では、インデックス150としての突出片151が、回転リール40の外周表面の各図柄61に対応するようにそれぞれ形成されている。そして、突出片151の回転方向の角度は、ステッピングモーター122のステップ角の整数倍となるように形成されている。そして、通過ステップ数検出センサー200が、各インデックス150の通過開始タイミング及び通過終了タイミングを検出する。そして、通過ステップ数計測手段180が、通過開始タイミングから通過終了タイミングまでに通過したステッピングモーター122のステップ数を、当該インデックス150の通過ステップ数として計測する。そして、突出片151は、対応する図柄61毎に回転方向の角度に対応する通過ステップ数が異なるように形成されている。このため、ステップ単位回転位置決定手段190が、かかる通過ステップ数により、いずれの図柄61に対応するインデックス150が通過したか決定して、回転リール40の現在の回転位置を検出することができる。
【００８４】
各図柄61毎に通過ステップ数がそれぞれ異なるインデックス150が対応するように形成されている。このため、回転リール40の回転速度が所定の数値（定常回転速度）に達していなくても、各図柄61のインデックス150の通過開始タイミング及び通過終了タイミングが検出されて、通過ステップ数計測手段180により通過ステップ数が計測された時点で、インデックス150を特定することができる。そして、そのインデックス150に対応する図柄を特定することができて、回転リール40の回転位置を検出することができる。すなわち、２１個の図柄61のうち、いずれか１個の図柄61のインデックス150の通過ステップ数を検知することができれば、当該インデックス150に対応する図柄61の種類を検知することができて、回転リール40の回転位置を検出することができる。このため、インデックスを１個だけ有しているような回転リールと比較して、回転位置を検出するために、回転リールが最大１周、回転しなければならないようなことを回避することができ、回転位置の検出までの検出時間を短くすることができる。また、回転リール40の停止した状態が如何なる回転位置で停止していても、回転リール40の回転検出までの時間を、略一定にすることができる。
【００８５】
各回転リール40毎に、２１個のインデックス150の通過開始タイミング及び通過終了タイミングを１個の通過タイミング検出手段140により、検出して、通過ステップ数計測手段180により当該インデックス150の通過ステップ数を計測している。このため、複数列のインデックスを形成して、それを検知するための複数のセンサー等を必要とすることがない。これにより、センサーとしては、１個の通過タイミング検出手段140だけで済み、複数のセンサーを必要とするものと比較して、部品数低減可、コスト低減化を図ることができる。
各図柄61毎に対応して、それぞれステップ数の異なるインデックス150を、通過タイミング検出手段140及び通過ステップ数計測手段180により、回転リール40の回転に伴って、その通過ステップ数を計測している。そして、このステップ単位回転位置決定手段190が、その通過ステップ数に基づいて、いずれの図柄61が通過したかを検出している。すなわち、ステップ単位回転位置決定手段190が検出しているのは、通過ステップ数であって、通過時間では無い。このため、回転リール40の回転速度の影響を受けず、回転リール40の回転速度が定常回転速度に到達していない場合であっても、また、回転リール40の回転速度が一定の回転速度に定まらず、変動するような場合であっても、それらの回転リール40の回転速度の影響を受けずに、回転リール40の回転位置の検出を行うことができる。したがって、遊技を開始して、回転リール40の回転速度が定常回転速度に到達するまで待つ必要もなく、遊技の進行を早めることができる。
【図面の簡単な説明】
【００８６】
【図１】本発明の第１の形態であって、回転リールを示す外観斜視図である。
【図２】本発明の第１の形態であって、リールテープ上の図柄と突出片との関係を示す概略観念図である。
【図３】本発明の第１の形態であって、リールテープ上の図柄と突出片との関係を示す一部概略観念図である。
【図４】本発明の第１の形態であって、本発明の概念のポイントを示す概略図である。
【図５】本発明の第１の形態であって、遊技機の入力、制御及び出力を示すブロック図である。
【図６】本発明の第１の形態であって、回転位置検出制御手段を示すブロック図である。
【図７】本発明の第１の形態であって、遊技機を示す外観正面図である。
【図８】本発明の第１の形態であって、遊技機の動作の概略を示すフローである。
【図９】本発明の第１の形態であって、当選抽選処理を示すフローである。
【図１０】本発明の第１の形態であって、回転位置検出処理を示すフローである。
【図１１】本発明の第１の形態であって、停止処理を示すフローである。
【図１２】本発明の第２の形態であって、リールテープ上の図柄と突出片との関係を示す一部概略観念図である。
【図１３】本発明の第２の形態であって、本発明の概念のポイントを示す概略図である。
【図１４】本発明の第２の形態であって、遊技機の入力、制御及び出力を示すブロック図である。
【図１５】本発明の第２の形態であって、回転位置検出制御手段を示すブロック図である。
【図１６】本発明の第２の形態であって、回転位置検出処理を示すフローである。
【図１７】従来の形態であって、リールテープ上の図柄と突出片との関係を示す概略観念図である。
【符号の説明】
【００８７】
10  遊技機                              11  筐体
12  表示窓                              13  図柄表示窓
15  投入スイッチ                        16  ベットスイッチ
17  精算スイッチ                        18  メダル投入口
20  制御装置                            21  遊技制御装置
22  演出制御装置                        25  演出データ記憶手段
26  演出制御手段                        27  遊技制御手段
30  スタートスイッチ                    31  変動開始操作手段
40  回転リール                          41  図柄表示手段
42  リールテープ                        43  左側回転リール
44  中央回転リール                      45  右側回転リール
46  リール枠状部                        47  リール円筒部
48  リール支持軸部                      49  リング状部
50  ストップスイッチ                    51  変動停止操作手段
60  リールユニット                      61  図柄
62  枠体                                63  回転駆動軸
65  払い出し装置                        66  報知手段
67  スピーカー                          68  表示装置
69  報知ランプ                          110  当選抽選手段
111  当選乱数発生手段                  112  当選乱数抽出手段
113  当選判定テーブル                  114  当選判定手段
120  駆動モーター                      121  モータドライバ
122  ステッピングモーター              130  回転位置検出制御手段
140  通過タイミング検出手段            141  通過タイミング検出センサー
142  インデックス信号出力手段          150  インデックス
151  突出片                            160  通過時間計測手段
170  時単位回転位置決定手段            171  時単位インデックス情報記憶手段
172  基本通過時間選択手段              173  時単位図柄番号決定手段
174  時単位リール図柄位置決定手段      180  通過ステップ数計測手段
190  ステップ単位回転位置決定手段      191  ステップ単位インデックス情報記憶手段
192  ステップ単位図柄番号決定手段      193  ステップ単位リール図柄位置決定手段
【図１】
2007037771.tif 000003
【図２】
2007037771.tif 000004
【図３】
2007037771.tif 000005
【図４】
2007037771.tif 000006
【図５】
2007037771.tif 000007
【図６】
2007037771.tif 000008
【図７】
2007037771.tif 000009
【図８】
2007037771.tif 000010
【図９】
2007037771.tif 000011
【図１０】
2007037771.tif 000012
【図１１】
2007037771.tif 000013
【図１２】
2007037771.tif 000014
【図１３】
2007037771.tif 000015
【図１４】
2007037771.tif 000016
【図１５】
2007037771.tif 000017
【図１６】
2007037771.tif 000018
【図１７】
2007037771.tif 000019